(57)【要約】      （修正有）【課題】ノーブラ状態のまま衣服を着用しても乳頭が突出せず、胸の輪郭が表れない構造で作製されたノーブラ対応品と、ノーブラ対応品を着脱するためのノーブラ対応品着脱袋と、ノーブラ対応品着脱袋が適用されたノーブラ対応衣服を提供する。【解決手段】ノーブラ状態の着用者の胸の前において胸及び乳頭を覆うノーブラ対応品であって、着用者の両側の胸及び乳頭を覆う第１胸カバー部、第１胸カバー部と連結される第２胸カバー部、第１胸カバー部の下端から下方向に延長された第１下端延長部１４０ａ、及び第２胸カバー部の下端から下方向に延長された第２下端延長部１４０ｂを含む。ノーブラ対応品着脱袋は、ノーブラ対応品を挿入又は除去（着脱）できる挿入口を有し、シャツ、セーターなどの衣服内部の胸が触れる位置に取り付けられる。【選択図】図２
0003224442.tif 000002
【実用新案登録請求の範囲】
【請求項１】
ノーブラ状態の着用者の胸の前において胸及び乳頭を覆うための物品であって、
着用者の両側の胸及び乳頭を覆う第１胸カバー部、
前記第１胸カバー部と連結される第２胸カバー部、
前記第１胸カバー部の下端から下方向に延長された第１下端延長部、及び
前記第２胸カバー部の下端から下方向に延長された第２下端延長部を含むノーブラ対応品。
【請求項２】
前記第１胸カバー部の第２胸カバー部と連結された反対側から側方向に延長された第１側端延長部、及び
前記第２胸カバー部の第１胸カバー部と連結された反対側から側方向に延長された第２側端延長部をさらに含む請求項１に記載のノーブラ対応品。
【請求項３】
前記第１胸カバー部、第２胸カバー部、第１下端延長部、及び第２下端延長部は一体に形成された請求項１に記載のノーブラ対応品。
【請求項４】
前記第１胸カバー部、第２胸カバー部、第１下端延長部、第２下端延長部、第１側端延長部、及び第２側端延長部は一体に形成された請求項２に記載のノーブラ対応品。
【請求項５】
前記第１及び第２胸カバー部の上辺に沿ってライニング処理された上辺ライナーと、
前記第１及び第２下端延長部と前記第１及び第２側端延長部の下辺に沿ってライニング処理された下辺ライナーをさらに含む請求項２に記載のノーブラ対応品。
【請求項６】
着用者の両側の胸及び乳頭を覆う第１胸カバー部、前記第１胸カバー部と連結される第２胸カバー部、前記第１胸カバー部の下端から下方向に延長された第１下端延長部、及び前記第２胸カバー部の下端から下方向に延長された第２下端延長部を含み、ノーブラ状態の着用者の胸の前において胸及び乳頭を覆うための請求項１に記載のノーブラ対応品が着脱されるノーブラ対応品着脱袋であって、
生地と、
前記生地が衣服に接合される接合部と、
前記生地が衣服に接合されない非接合部と、
ノーブラ対応品が挿入されるノーブラ対応品挿入口が含まれており、少なくともこのノーブラ対応品挿入口を除いた部分が前記生地と連結されて内部に空間を形成するノーブラ対応品挿入空間を含むノーブラ対応品着脱袋。
【請求項７】
前記接合部は、衣服の首部位の縫い目に接合される首部位接合部、衣服の両わき腹部位の継ぎ目に接合されるわき腹部位接合部、そして衣服の両袖が胸板に連結された部位の継ぎ目に接合される袖部位接合部のうち少なくとも一つを含む請求項６に記載のノーブラ対応品着脱袋。
【請求項８】
前記非接合部は、衣服の首部位と両袖が胸板に連結された部位との間及び衣服の両わき腹部位の下端を連結する部位のうち少なくとも一つを含む請求項６に記載のノーブラ対応品着脱袋。
【請求項９】
前記ノーブラ対応品挿入空間は、前記生地と別途作製されて前記生地に接合されることを特徴とする請求項６に記載のノーブラ対応品着脱袋。
【請求項１０】
前記ノーブラ対応品挿入空間は、前記生地と一体に作製されることを特徴とする請求項６に記載のノーブラ対応品着脱袋。
【請求項１１】
生地と、前記生地が衣服に接合される接合部と、前記生地が衣服に接合されない非接合部と、及び請求項１に記載のノーブラ対応品が挿入されるノーブラ対応品挿入口が含まれており、少なくともこのノーブラ対応品挿入口を除いた部分が前記生地と連結されて内部に空間を形成するノーブラ対応品挿入空間を含むノーブラ対応品着脱袋が付着されたノーブラ対応衣服。
【請求項１２】
前記ノーブラ対応品着脱袋の接合部が衣服に接合される部分は、衣服の首部位の縫い目、衣服の両わき腹部位の継ぎ目、そして衣服の両袖が胸板に連結された部位の縫い目のうち少なくとも一つを含む請求項１１に記載のノーブラ対応衣服。
【請求項１３】
前記ノーブラ対応品着脱袋の非接合部は、衣服の首部位と両袖が胸板に連結された部位との間の部分及び衣服の両わき腹部位の下端を連結する部分のうち少なくとも一つを含む請求項１１に記載のノーブラ対応衣服。
【考案の詳細な説明】
【技術分野】
【０００１】
本考案は、ブラジャー未着用（いわゆる「ノーブラ」）に対応するために、胸を覆うノーブラ対応品、そしてそのノーブラ対応品を挿入又は除去できる構造物（ノーブラ対応品着脱袋）、そしてその着脱袋が適用されたノーブラ対応衣服に関する。
【背景技術】
【０００２】
胸、胸部、背中、脇腹へのブラジャーの圧迫感や副作用（汗、痕跡、皮膚疾患など）のため、いわゆるノーブラ（ブラジャー未着用）を追求する人々が増えている。特に、最近では、様々な社会的要因によりノーブラに対する認識が変化している。
【０００３】
しかし、自宅でのノーブラはさほど問題がないが、外ではノーブラ状態のままシャツなどの服を着ると、胸の輪郭が目立ったり乳頭が突出したりして、他人の視線から不自由なのが事実である。
【０００４】
シャツ、セーターなど外出着の場合以外に、自宅で着るイージーウェア（着心地の良い服）の場合にも、ノーブラ状態のまま楽に休んでいるときに、しばらくコンビニに行ったり、またはゴミを捨てるなどのことで外へ出るためには、ブラジャーを再度着用しなければならないなど、非常に不便であった。
【考案の概要】
【考案が解決しようとする課題】
【０００５】
上記問題点を解決するための本考案の目的は、ノーブラ状態のまま衣服を着用しても乳頭が突出せず、薄い素材の衣服であっても、胸の形と輪郭が目立たない構造で作製されたノーブラ対応品及びそのノーブラ対応品を衣服に適用するための構造物（以下、「ノーブラ対応品着脱袋」）を提供する。
【０００６】
また、本考案の他の目的は、前記ノーブラ対応品着脱袋が適用されたノーブラ対応衣服を提供する。
【課題を解決するための手段】
【０００７】
上記課題を解決するために、本考案では、衣服内側の胸部位に付け加えて衣服外側に乳頭が突出することを防止し、胸の形や輪郭が目立たないようにしてブラジャー未着用状態に見えないようにする。
【０００８】
具体的には、本考案の一側面によると、ノーブラ状態の着用者の胸の前において胸及び乳頭を覆うためのノーブラ対応品が提供される。このノーブラ対応品は、Ｔシャツ、ノースリーブシャツ、セーター、ドレスシャツ、ワンピース、インナーウェア、患者服など衣服の外側に乳頭が突出することを防止し、胸の輪郭が目立たないようにして、ブラジャーを着用していないことに見えないようにするために、ノーブラ状態の着用者の胸の前において胸及び乳頭を覆うための用途の物品である。
【０００９】
このノーブラ対応品は、着用者の両側の胸及び乳頭を覆う第１胸カバー部、前記第１胸カバー部と連結される第２胸カバー部、前記第１胸カバー部の下端から下方向に延長された第１下端延長部、前記第２胸カバー部の下端から下方向に延長された第２下端延長部を含むことができる。
【００１０】
また、前記ノーブラ対応品は、前記第１胸カバー部の第２胸カバー部と連結された反対側から側方向に延長された第１側端延長部、前記第２胸カバー部の第１胸カバー部と連結された反対側から側方向に延長された第２側端延長部をさらに含むことができる。
【００１１】
また、本考案の他の側面によると、前記ノーブラ対応品を着脱（挿入又は除去）できるように設計されたノーブラ対応品着脱袋が提供される。シャツ、セーターなどの衣服内部の胸が触れる位置にノーブラ対応品着脱袋が取り付けられる。
【００１２】
また、本考案の他の側面によると、前記ノーブラ対応品着脱袋が適用されたＴシャツ、ノースリーブシャツ、セーター、ドレスシャツ、ワンピース、インナーウェア、患者服などノーブラ対応衣服が提供される。
【００１３】
以上で紹介した本考案の構成及び作用は、図面と一緒に説明する具体的な実施例を通じてより明確になるであろう。
【考案の効果】
【００１４】
本考案によると、一般的なブラジャーの問題に因りノーブラを追求する人々に周りの視線に自由且つ自信を持ってノーブラをすることができる。
【００１５】
また、自宅でノーブラでイージーウェアを着用した状態のまま出かけることができるようにする。
【００１６】
本考案は、イージーウェアだけでなく、シャツ、セーターなどの外出着、そして病院での患者服などすべての衣服に適用することができ、また、女性用衣服のみに限定されることなく男性の乳頭突出を覆うための用途として男性用衣服にも適用することができる。
【図面の簡単な説明】
【００１７】
【図１】一般的なブラジャーの基本的な構成である。
【図２】ノーブラ対応品１００の斜視図である。
【図３】図２のＸ−Ｘの断面図である。
【図４】図２のＹ−Ｙの断面図である。
【図５（ａ）】一般的なブラジャーを着用したときの胸１の形状及び乳頭５の位置を示す。
【図５（ｂ）】本考案のノーブラ対応品１００を使用する場合の胸１の形状及び乳頭５の位置を示す。
【図６】ノーブラ対応品着脱袋２００が適用されたシャツの外観を示す。
【図７】図６に示したシャツを裏返した様子を示す。
【図８】ノーブラ対応品挿入空間２４０の第１作製方式の説明図である。
【図９】ノーブラ対応品挿入空間２４０の第２作製方式の説明図である。
【図１０】ノーブラ対応品挿入空間２４０にノーブラ対応品を入れた後の様子を示す。
【図１１】ノーブラ対応品挿入空間２４０にノーブラ対応品を入れた状態のままシャツを元に裏返して観た前方外観の様子を示す。
【図１２】ノーブラ対応品着脱袋２００が取り付けられたノースリーブシャツの内部の様子を示す。
【図１３】本考案に係るノーブラ対応シャツを実際に着用した様子を示す。
【考案を実施するための形態】
【００１８】
本考案の利点及び特徴、そしてこれらを達成する方法は、添付される図面と共に詳細に記述されている実施例を参照すれば明確になるであろう。しかし、本考案は、以下で開示される実施例に限定されるものではなく、異なる様々な形態で表され、単に本実施例は、本考案の開示が完全にし、本考案の属する技術分野において通常の知識を有する者に考案のカテゴリを完全に知らせるために提供され、本考案は、請求項の記載によって定義される。
【００１９】
まず、説明の便宜及び理解を助けるためにブラジャーに関連した用語を説明する。一般的なブラジャーの基本的な構成は、図１に示す。
【００２０】
両方の乳房を入れるモールド（カップ）１０は、左側モールドと右側モールドとを連結する部分である前中心２０、両方のモールド１０を着用者の後方に連結して着用者の背中に密着させる左側及び右側のウィング３０、両方のモールド１０にそれぞれ連結されたウィング２０を背中の方で又は胸の方で互いに結合するフック４０、ウィング３０の上方辺に取り付けられて弾性力により着用者の身体に密着されるようにする上辺テープ（ｃｈｅｓｔ  ｔａｐｅ、３２）、ウィング３０下方辺に取り付けられて弾性力により着用者の身体に密着されるようにする下辺テープ
（ｕｎｄｅｒ  ｔａｐｅ、３４）、肩にかけてずり落ちないようにする肩紐５０、モールド１０の支え６０に設けられて胸の形状を一定の形状に作る補正ワイヤ（図示せず）などで構成される。
【００２１】
以下では、本考案のノーブラ対応品及びその着脱袋の実施例を説明する。
【００２２】
＜ノーブラ対応品＞
図２は、ノーブラ対応品１００の斜視図であり、図３は、図２のＸ−Ｘ断面図、図４は、図２のＹ−Ｙ断面図である。
【００２３】
ノーブラ対応品１００は、大まかに見ると、ブラジャー完製品の形状と同様のように見えるが、実際はそうではなく、本考案の目的を達成するための固有の特徴がある。
【００２４】
まず、ノーブラ対応品１００の構成を見ると、左右両側の胸及び乳頭を覆う第１、第２胸カバー部（１００ａ、１００ｂ）がある。第１胸カバー部１００ａと第２胸カバー部１００ｂは、連結部１２０で連結される。第１胸カバー部１００ａの一側（連結部１２０の反対側）は、側方向に延長されて第１側端延長部１３０ａを成しており、第２胸カバー部１００ｂの一側（連結部１２０の反対方）は側方向に延長されて第２側端延長部１３０ｂを成している（図３参照）。そして、少なくとも第１及び第２胸カバー部（１００ａ、１００ｂ）の下端は、下方向に延長されて第１、第２下端延長部（１４０ａ、１４０ｂ）を形成する（図４参照）。
【００２５】
図２には、第１、第２胸カバー部（１００ａ、１００ｂ）の下端だけでなく、連結部１２０の下端も下に延長されて第１、第２下端延長部（１４０ａ、１４０ｂ）と略同じ位置まで連結部延長部１４０’が形成されていることが示されている。もちろん、このような構成によれば、ノーブラ対応品１００の形状が単純になるので、材料の切断、プレス加工、後作業（ライナー接合など）の側面では有利であるが、材料がさらに消費されて原価の側面では多少不利なこともあり得る。とにかく、本考案の目的を達成するためには、少なくとも第１、第２胸カバー部（１００ａ、１００ｂ）の下端が下に延長されて第１、第２下端延長部（１４０ａ、１４０ｂ）が形成されることさえできれば、十分であろう。
【００２６】
第１側端延長部１３０ａと第１下端延長部１４０ａとの間は、自然な外郭曲線を維持する第１側下端連結面１５０ａを成している。同様に、第２側端延長部１３０ｂと第２下端延長部１４０ｂとの間は、自然な外郭曲線を維持する第２側下端連結面１５０ｂを成している。
【００２７】
第１、第２側端延長部（１３０ａ、１３０ｂ）の側方向への延長の長さは、それぞれ、前記第１、第２胸カバー部（１００ａ、１００ｂ）の側端から約２０ｍｍ〜７０ｍｍであり、前記第１、第２下端延長部（１４０ａ、１４０ｂ）の下端方向への延長の長さは、それぞれ前記第１、第２胸カバー部（１００ａ、１００ｂ）の下端から約２０ｍｍ〜７０ｍｍである。
【００２８】
第１、第２側端延長部（１３０ａ、１３０ｂ）と第１、第２下端延長部（１４０ａ、１４０ｂ）は一般的なブラジャーにない構成である。一般的なブラジャーは、その目的が胸を下から上に支えて保持ことであり、図１に示した両方のモールド１０を着用者の後方に引いて胸をモールドカップ内に入れるためのウィング３０と、ウィング３０の上方辺と下方辺を着用者の身体に密着させて胸を盛る上辺テープ３２及び下辺テープ３４と、肩にかけて胸が下に落ちない作用をする肩紐５０と、モールド１０の支え６０に設けられて胸の形状を一定の形状に作る補正ワイヤーで構成されるだけである。しかし、本考案のノーブラ対応品は、胸を支えることを目的とせず、胸の輪郭及び乳頭が目立たないようにするための目的を有するので、このような一般的なブラジャーの構成がない。また、一般的なブラジャーは、単に乳頭及びその周辺の胸の肉だけを覆う形状に過ぎず、胸を支える作用をしない状態では乳頭と胸の輪郭を十分覆うのは難しい。その理由は次の通りである。
【００２９】
図５の（ａ）は、一般的なブラジャーを着用したときの胸１の形状及び乳頭５の位置を示し、図５の（ｂ）は、本考案のノーブラ対応品１００を使用する場合の胸１の形状及び乳頭５の位置を示す。
【００３０】
図５の（ａ）において、ブラジャーのモールド１０の中に胸１が入れられるが、ブラジャーのすべての構成要素（すなわち、図１に示したウィング３０、上辺テープ３２、下辺テープ３４、肩紐５０、支え６０、補正ワイヤ（図示せず））がモールド１０の中にある胸を下から上に支えるように作用するので、乳頭５が着用者の前方又は少し前方の上に位置するようになる。したがって、モールド１０の大きさは、胸の上部分の一部と下部分を覆うことのできる程度の大きさになり、モールド１０の略中間部に乳頭５が位置する。
【００３１】
しかし、本考案のノーブラ対応品１００が使用される図５の（ｂ）の場合には、胸１を着用者の方に押すか、または下から上に支えるのではなく、単にノーブラ対応品１００で胸の前を覆う作用しかしないので、胸１が下に垂れるようになり、それにより乳頭５がブラジャーを着用したときよりも下に位置するようになる。したがって、下端延長部（１４０ａ、１４０ｂ）が必要である。また、胸が下に垂れるようになり上下の距離が長くなるので、胸の輪郭を覆うためには、一般的なブラジャーのモールドの大きさよりも、本考案のノーブラ対応品１００の胸カバー部（１００ａ、１００ｂ）がより大きくなければならない。
【００３２】
ノーブラ対応品１００の材料は、一般的なブラジャーのモールド（図１の１０）の材質と類似する合成スポンジを使用した。しかし、衣服の種類に応じて通気性を強化するための目的として、織布又はメッシュ（ｍｅｓｈ）状スポンジなどを使用しても良い。
【００３３】
胸カバー部（１００ａ、１００ｂ）の厚さは、約５〜１２ｍｍであるが、本実施例では８ｍｍを使用した。これは衣服の種類、用途、そしてカップの大きさ、乳頭の大きさなどに応じて選択することができる（例えば、衣服が厚い場合には、胸カバー部（１００ａ、１００ｂ）の厚さはより薄く、カップの大きさが小さい着用者の場合にも、胸カバー部（１００ａ、１００ｂ）の厚さは相対的に薄くなっても良いだろう。また、乳頭の突出程度が大きい場合には、その分、胸カバー部（１００ａ、１００ｂ）も厚くなるだろう）。また、胸カバー部（１００ａ、１００ｂ）の直径は、乳房の大きさ（カップサイズ）に応じて決定されることができる。胸カバー部（１００ａ、１００ｂ）の直径と厚さを、様々な大きさで作製して消費者の体型に応じて選択できるようにすれば良い。
【００３４】
本考案に係るノーブラ対応品１００のすべての構成要素、すなわち、胸カバー部（１００ａ、１００ｂ）、連結部１２０、側端延長部（１３０ａ、１３０ｂ）、下端延長部（１４０ａ、１４０ｂ）は一体として形成されることができる。例えば、一つの板材（スポンジ、織布など）にプレス金型でノーブラ対応品を一遍に作製することができる。また、胸カバー部（１００ａ、１００ｂ）の凹部を形成するために、加熱金型を利用して板材の該当部位を凹状に（他の方向から見たときには凸状に）形成するとともに、全体の外郭形状を打ち抜いて作製することができる。その他にも手作業でノーブラ対応品１００を作製できるのはもとより、各構成要素を別途作製して縫製又は接着などの方法で組み立てることも可能である。
【００３５】
図２にある参照番号のうち、まだ説明していない構成要素がある。図２を参照すると、胸カバー部（１００ａ、１００ｂ）の上辺に沿って弾性力のある素材によってライニング処理を施した上辺ライナー１６０と、下端延長部（１４０ａ、１４０ｂ）及び側端延長部（１３０ａ、１３０ｂ ）、そして連結部１２０の下辺に沿って弾性力のある素材（ヘム生地又はパワーネット生地など）によってライニング処理を施した下辺ライナー１７０が含まれる。上辺ライナー１６０と下辺ライナー１７０は、それぞれノーブラ対応品１００の該当位置の辺に沿って覆って縫製する。これらの上辺ライナー１６０と下辺ライナー１７０の役割は、ノーブラ対応品１００に弾性力を与えてノーブラ対応品１００の形状が最大限胸の形状になるようにして、ブラジャーを着用していないかのように見えないようにするためである（図５の（ｂ）参照）。一実施例において上辺ライナー１６０の幅は、約２ｍｍ〜１０ｍｍであり、下辺ライナー１７０の幅は、それより大きい約５ｍｍ〜１５ｍｍである。
【００３６】
＜ノーブラ対応品着脱袋及びノーブラ対応衣服＞
図６は、上述した図２のノーブラ対応品１００又は他のノーブラ対応品を着脱できる構造に設計されたノーブラ対応品着脱袋２００が適用されたシャツの外観を示す。シャツは、胸板と背板を相対させてわき腹部位を縫合し、肩部位に袖を縫合し、首部位を縫合して作製される。このように作製されたシャツの胸板内方の胸が触れる部位の内方にノーブラ対応品着脱袋２００が適用されている。ただ、外部から直接見えることはない。以下で説明するが、ノーブラ対応品着脱袋２００がシャツに接合された部分が外部に全く目立たないこともまた本考案の特徴の一つである。ノーブラ対応品着脱袋２００について以下で詳細に説明する。
【００３７】
以下の説明では、便宜上、ノーブラ対応品着脱袋が適用されたシャツ及びノースリーブシャツを通じて本考案に係るノーブラ対応品着脱袋を説明している。
【００３８】
図７は、図６に示したシャツを裏返したものであり、シャツの胸の方に取り付けられたノーブラ対応品着脱袋２００を示している。ノーブラ対応品着脱袋２００は、言葉通り、図２に示したノーブラ対応品１００又は他の形態のノーブラ対応品を挿入又は除去するためのポケットである。
【００３９】
図７の実施例において、シャツの胸板の内方の胸部位にノーブラ対応品着脱袋２００が部分的に接合されている。つまり、接合部と非接合部がある。
【００４０】
まず、ノーブラ対応品着脱袋２００のシャツとの接合部は、首部位の縫い目に接合される首部位接合部２１０と、両わき腹部位の縫い目に接合されるわき腹部位接合部（２２０ａ、２２０ｂ）と、両袖が胸板に連結された部位の縫い目に接合される袖部位接合部（２７０ａ、２７０ｂ）である。この実施例では、ノーブラ対応品着脱袋２００が接合されたシャツのこれらの部位は、いずれも基本的にシャツに存在しており、存在しなければならない部分の内方の縫い目と一致するように位置するので、図６に示すようにシャツの外部ではノーブラ対応品着脱袋２００の接合部が全く見えないことから、ノーブラ対応品着脱袋２００の存在を知ることができない。図７にノーブラ対応品着脱袋２００とシャツの接合部を太い線で示した。
【００４１】
一方、ノーブラ対応品着脱袋２００のシャツとの非接合部は、基本的にシャツの縫い目以外の部分に接する部位である。すなわち、図７の実施例において、非接合部は、衣服の首部位の縫い目と両袖が胸板に連結された部位の縫い目との間（肩甲骨部位非接合部 ２３０ａ、２３０ｂと称する）と、前記両わき腹部位の縫い目の下端を連結する部位（下胸部位非接合部２８０と称する）である。もちろん、ノーブラ対応品着脱袋２００の前記接合部以外の前面（シャツの胸板に向かう面）は、シャツの胸板に接合されず浮いている。
【００４２】
このように、ノーブラ対応品着脱袋２００がシャツの首部位接合部２１０、両わき腹部位接合部（２２０ａ、２２０ｂ）、両袖部位接合部（２７０ａ、２７０ｂ）の縫い目にのみ接合されるので、ノーブラ対応品着脱袋２００のその他の部位、すなわち、非接合部（２３０ａ、２３０ｂ、２８０）はシャツに接合されない。これにより、ノーブラ状態のまま本考案のシャツを着ても、ノーブラ対応品着脱袋２００に挿入されたノーブラ対応品により胸が覆われるだけで、それ以外の部位は自然に通常のシャツと同様に身体の上に位置し、外部から見るときはノーブラ状態を人為的にノーブラ対応品で覆ったものと見えない。すなわち、普通にブラジャーを着用した状態でシャツを着たのと同様に見えるようになる。特に、ノーブラ対応品着脱袋２００の下胸部位２８０が全体的にシャツと分離されているので、着用者が腰を曲げたり、上体を回すなどの姿勢を取っても、シャツ内部のノーブラ対応品着脱袋２００に関係なく、自然なシャツ着用状態と同様のシルエットが維持される。
【００４３】
ノーブラ対応品着脱袋２００は、軽くて柔らかく、若干の伸縮性のある吸汗速乾の素材から成る生地２５０で作製されるのが望ましい。本実施例では、メッシュ状のヘム（Ｈｅｍ）生地を使用したが、これに限定されるものではない。
【００４４】
ノーブラ対応品着脱袋２００の胸の位置に該当する部分にノーブラ対応品挿入空間２４０がある。ノーブラ対応品挿入空間２４０は、一対の対向する長辺と一対の対向する短辺とから成る長方形である。下方長辺は生地２５０の下胸部位２８０と連接しており、ノーブラ対応品挿入空間２４０の前記下方長辺とそれに直交する両方短辺とが逢う角には、ノーブラ対応品１００又はノーブラ対応品を挿入するためのノーブラ対応品挿入口（２６０ａ、２６０ｂ）が形成されている。ノーブラ対応品挿入口（２６０ａ、２６０ｂ）は、ノーブラ対応品挿入空間２４０に一旦挿入されたノーブラ対応品１００が容易に抜け出せないようにする程度の大きさ、約４０〜７０ｍｍの長さであるのが望ましい。
【００４５】
図７ではノーブラ対応品挿入空間２４０の両側にノーブラ対応品挿入口（２６０ａ、２６０ｂ）が形成されているが、いずれか一方にのみノーブラ対応品挿入口（２６０ａ、２６０ｂ）が形成されても良い。また、図７ではノーブラ対応品挿入空間２４０の下方両側にノーブラ対応品挿入口（２６０ａ、２６０ｂ）が形成されているが、ノーブラ対応品挿入口（２６０ａ、２６０ｂ）がノーブラ対応品挿入空間２４０の上方に形成されても良い。
【００４６】
ノーブラ対応品挿入空間２４０は、その上辺２４１と下辺２４４と、そして左辺と右辺のノーブラ対応品挿入口（２６０ａ、２６０ｂ）を除いた一部分（２４２、２４３）のうち少なくとも一つ以上の辺（したがって、実際にはノーブラ対応品挿入口（２６０ａ、２６０ｂ）の他にも、生地２５０と連結されていない部分があり得る）がノーブラ対応品着脱袋２００の生地２５０に連結されて空間を形成する。
【００４７】
ノーブラ対応品挿入空間２４０を形成する方式は様々である。その例を説明する。図８は、ノーブラ対応品挿入空間２４０を生地２５０と別途に作製してノーブラ対応品挿入空間２４０の上辺２４１、下辺２４４、ノーブラ対応品挿入口（２６０ａ、２６０ｂ）を除いた左辺２４２及び右辺２４３の一部分を生地２５０に接合する方式を示す（接合部を太い線で示す）。接合方法としては、縫製を利用しても良いが、これに限定されない。図９は、生地２５０を（ａ）に示した形状の展開図に基づいて裁断してノーブラ対応品挿入空間２４０が形成される部分２４０’と生地２５０との境界である折畳線２４４’に沿って折り、（ｂ）のようにノーブラ対応品挿入空間２４０の上辺２４１と左辺２４２及び右辺２４３の一部分のみ接合し、折畳線２４４’によって下辺２４４が形成されるようにする方式を示す。図８の方式に比べて接合部の箇所が減って作業性が向上し、ノーブラ対応品挿入空間２４０の下辺２４４に接合部がなくなるので、下辺２４４と下胸部位（図７の２８０）が一致するようになり、より自然なシャツの外観を維持することができる。
【００４８】
図１０は、ノーブラ対応品挿入空間２４０にノーブラ対応品１００を入れた後の様子を示す。ノーブラ対応品挿入口（２６０ａ、２６０ｂ）を介して図１で説明したノーブラ対応品１００を挿入空間２４０に挿入した様子である。薄いメッシュ生地を使用してノーブラ対応品１００が透けて見える。
【００４９】
図１１は、ノーブラ対応品挿入空間２４０にノーブラ対応品１００を入れた状態でシャツを元に裏返した外観の前方（胸の方）を示す。図１１から見るとき、ノーブラ対応品着脱袋２００がシャツの外部から認知されず、ただ普通のブラジャーが着用された状態と同一のシルエットで表されるだけであることが分かる。以上のような構成により、シャツに様々な形や大きさのノーブラ対応品を選択的に入れたり抜いたりすることができるので、消費者のニーズに応えることができる。例えば、ユーザの体型別に様々な大きさ、形状、厚さのノーブラ対応品を用意しておけば、特定のユーザは、自分に合ったノーブラ対応品を簡単にノーブラ対応品着脱袋２００に着脱して使用することができる。
【００５０】
図１２は、袖のないノースリーブシャツに、本考案のノーブラ対応品着脱袋２００を取り付けた内部の様子を示す。全体的には、図７においてシャツに適用した構成と類似している。事実上、本考案のノーブラ対応品着脱袋２００は、長袖シャツ、半袖シャツ、ノースリーブシャツ、セーターなどすべての種類の衣服にそのまま又は若干の形状変更を通じて適用することができる。
【００５１】
図１３は、本考案によるノーブラ対応品着脱袋にノーブラ対応品を挿入した状態のノーブラ対応衣服（シャツ）を実際着用した様子を示す。ノーブラ状態のままシャツを着ても全くノーブラ状態を認知できない程度の効果を奏することが分かる。
【００５２】
以上、本考案のいくつかの代表的な実施例を説明したが、本考案の技術的範囲がこれらの実施例に限定されるものではない。本考案の技術的範囲、すなわち権利範囲は、以下で提示する特許請求の範囲によって決まる。
【符号の説明】
【００５３】
１：胸                  ５：乳頭
１０：モールド（カップ）        ２０：前中心
３０：ウィング              ４０：フック
３２：上辺テープ            ３４：下辺テープ
５０：肩紐                １００：ノーブラ対応品
１００ａ：第１胸カバー部        １００ｂ：第２胸カバー部
１２０：連結部              １３０ａ：第１側端延長部
１３０ｂ：第２側端延長部          １４０ａ：第１下端延長部
１４０ｂ：第２下端延長部          １４０’：連結部延長部
１５０ａ：第１側下端連結面        １５０ｂ：第２側下端連結面
１６０：上辺ライナー          １７０：下辺ライナー
２００：ノーブラ対応品着脱袋      ２１０：首部位接合部
２２０ａ、２２０ｂ：わき腹接合部
２３０ａ、２３０ｂ：肩甲骨部位非接合部
２４０：ノーブラ対応品挿入空間
２４１：上辺              ２４４：下辺
２４２：ノーブラ対応品挿入口２６０ａを除いた左辺
２４３：ノーブラ対応品挿入口２６０ｂを除いた右辺
２５０：生地
２６０ａ、２６０ｂ：ノーブラ対応品挿入口
２８０：下胸部位非接合部
【図１】
0003224442.tif 000003
【図２】
0003224442.tif 000004
【図３】
0003224442.tif 000005
【図４】
0003224442.tif 000006
【図５（ａ）】
0003224442.tif 000007
【図５（ｂ）】
0003224442.tif 000008
【図６】
0003224442.tif 000009
【図７】
0003224442.tif 000010
【図８】
0003224442.tif 000011
【図９】
0003224442.tif 000012
【図１０】
0003224442.tif 000013
【図１１】
0003224442.tif 000014
【図１２】
0003224442.tif 000015
【図１３】
0003224442.tif 000016